【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
チャネル状態情報（ＣＳＩ）を決定することと、
タイマーまたはしきい値のうちの少なくとも１つに基づいて、前記ＣＳＩを送るべきかどうかを決定することと、ここにおいて、前記ＵＥが、前記しきい値が超えられるかどうかにかかわらず、前記タイマーの満了時に前記ＣＳＩを送ることを決定する、
前記ＣＳＩを送ることを決定すると、前記ＣＳＩを送ることと
を備える、ユーザ機器（ＵＥ）のワイヤレス通信の方法。
【請求項２】
前記ＵＥが、前記ＣＳＩを送ることを決定すると、メディアアクセス制御（ＭＡＣ）ヘッダ中で前記ＣＳＩを送る、請求項１に記載の方法。
【請求項３】
前記ＣＳＩが、チャネル品質指示（ＣＱＩ）、ランク指示（ＲＩ）、プリコーディング行列インデックス（ＰＭＩ）、変調およびコーディング方式（ＭＣＳ）、または経路損失のうちの少なくとも１つを含む、請求項１に記載の方法。
【請求項４】
前記ＣＳＩを送るべきかどうかを前記決定することが、前記しきい値に基づいており、前記ＣＳＩと基準ＣＳＩとの間の差に依存する、請求項１に記載の方法。
【請求項５】
前記基準ＣＳＩが、前に報告されたＣＳＩ、固定ＣＳＩ、経路損失、または基地局からの受信されたデータ送信のＭＣＳのうちの少なくとも１つに基づいて決定される、請求項４に記載の方法。
【請求項６】
基地局との初期接続セットアップにおいて前記基地局にＣＳＩを送ることをさらに備える、請求項１に記載の方法。
【請求項７】
前記ＣＳＩを送るための要求を基地局に送ることと、
前記要求に基づく前記基地局からの応答を受信することと
をさらに備え、
ここにおいて、前記ＣＳＩが、前記受信された応答に基づいて前記基地局に送られる、
請求項１に記載の方法。
【請求項８】
基地局からアップリンク許可を受信することをさらに備え、前記アップリンク許可は、ＣＳＩが第２のしきい値よりも大きい時間期間の間に送られないときに受信され、ここにおいて、前記ＣＳＩが、前記受信されたアップリンク許可に基づいて送られる、請求項１に記載の方法。
【請求項９】
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
をさらに備える、請求項１に記載の方法。
【請求項１０】
マルチキャストブロードキャスト単一周波数ネットワーク（ＭＢＳＦＮ）サブフレームを示す情報を受信することと、
前記受信された情報に基づいて前記ＣＳＩを決定することと
をさらに備える、請求項１に記載の方法。
【請求項１１】
前記ＣＳＩに基づいてランダムアクセスチャネル（ＲＡＣＨ）プロシージャのためのＲＡＣＨフォーマットを選択することをさらに備え、ここにおいて、前記ＣＳＩが、前記ＲＡＣＨプロシージャを通して送られ、前記選択されたＲＡＣＨフォーマットを通して示される、請求項１に記載の方法。
【請求項１２】
基地局から周期的な監視メッセージを受信することと、
前記受信された周期的な監視メッセージに基づいて前記基地局に応答を送ることと、ここにおいて、前記ＣＳＩが前記応答とともに送られる、
をさらに備える、請求項１に記載の方法。
【請求項１３】
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
をさらに備え、
ここにおいて、前記ＣＳＩが前記ＲＳＲＰまたは前記ＲＳＲＱのうちの前記少なくとも１つとともに送られる、
請求項１に記載の方法。
【請求項１４】
ワイヤレス通信のための装置であって、前記装置がユーザ機器（ＵＥ）であり、
チャネル状態情報（ＣＳＩ）を決定するための手段と、
タイマーまたはしきい値のうちの少なくとも１つに基づいて、前記ＣＳＩを送るべきかどうかを決定するための手段と、ここにおいて、前記ＣＳＩを送るべきかどうかを前記決定するための手段が、前記しきい値が超えられるかどうかにかかわらず、前記タイマーの満了時に前記ＣＳＩを送ることを決定するように構成される、
前記ＣＳＩを送ることを決定すると、前記ＣＳＩを送るための手段と
を備える、装置。
【請求項１５】
先行する請求項１〜１３のうちのいずれかにしたがって方法を実装するための命令を備える、コンピュータプログラム製品。
【手続補正２】
【補正対象書類名】明細書
【補正対象項目名】０１１７
【補正方法】変更
【補正の内容】
【０１１７】
[00138]  以上の説明は、当業者が本明細書で説明された様々な態様を実行できるようにするために提供される。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供されるものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を備える、ユーザ機器（ＵＥ）のワイヤレス通信の方法。
［Ｃ２］
前記ＵＥが、前記ＣＳＩを送ることを決定すると、メディアアクセス制御（ＭＡＣ）ヘッダ中で前記ＣＳＩを送る、Ｃ１に記載の方法。
［Ｃ３］
前記ＣＳＩが、チャネル品質指示（ＣＱＩ）、ランク指示（ＲＩ）、プリコーディング行列インデックス（ＰＭＩ）、変調およびコーディング方式（ＭＣＳ）、または経路損失のうちの少なくとも１つを含む、Ｃ１に記載の方法。
［Ｃ４］
前記ＣＳＩを送るべきかどうかを前記決定することが、前記しきい値に基づいており、前記ＣＳＩと基準ＣＳＩとの間の差に依存する、Ｃ１に記載の方法。
［Ｃ５］
前記基準ＣＳＩが、前に報告されたＣＳＩ、固定ＣＳＩ、経路損失、または基地局からの受信されたデータ送信のＭＣＳのうちの少なくとも１つに基づいて決定される、Ｃ４に記載の方法。
［Ｃ６］
基地局との初期接続セットアップにおいて前記基地局にＣＳＩを送ることをさらに備える、Ｃ１に記載の方法。
［Ｃ７］
前記ＣＳＩを送るための要求を基地局に送ることと、
前記要求に基づく前記基地局からの応答を受信することと
をさらに備え、
ここにおいて、前記ＣＳＩが、前記受信された応答に基づいて前記基地局に送られる、
Ｃ１に記載の方法。
［Ｃ８］
前記要求がスケジューリング要求またはランダムアクセスチャネル（ＲＡＣＨ）メッセージであり、前記応答がアップリンク許可であり、ここにおいて、前記ＵＥが前記アップリンク許可のスケジュールされた物理アップリンク共有チャネル（ＰＵＳＣＨ）中で前記ＣＳＩを送る、Ｃ７に記載の方法。
［Ｃ９］
前記ＵＥがＲＡＣＨプロシージャのメッセージ３またはメッセージ５中で前記ＣＳＩを送る、Ｃ７に記載の方法。
［Ｃ１０］
基地局からアップリンク許可を受信することをさらに備え、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、Ｃ１に記載の方法。
［Ｃ１１］
前記ＣＳＩが複数のサブフレームにわたって決定される、Ｃ１に記載の方法。
［Ｃ１２］
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
をさらに備える、Ｃ１に記載の方法。
［Ｃ１３］
前記ＣＳＩをどのように決定すべきかを示す構成を受信することと、
前記受信された構成に基づいて前記ＣＳＩを決定することと
をさらに備える、Ｃ１に記載の方法。
［Ｃ１４］
マルチキャストブロードキャスト単一周波数ネットワーク（ＭＢＳＦＮ）サブフレームを示す情報を受信することと、
前記受信された情報に基づいて前記ＣＳＩを決定することと
をさらに備える、Ｃ１に記載の方法。
［Ｃ１５］
前記ＣＳＩに基づいてランダムアクセスチャネル（ＲＡＣＨ）プロシージャのためのＲＡＣＨフォーマットを選択することをさらに備え、ここにおいて、前記ＣＳＩが、前記ＲＡＣＨプロシージャを通して送られ、前記選択されたＲＡＣＨフォーマットを通して示される、Ｃ１に記載の方法。
［Ｃ１６］
基地局から周期的な監視メッセージを受信することと、
前記受信された周期的な監視メッセージに基づいて前記基地局に応答を送ることと、ここにおいて、前記ＣＳＩが前記応答とともに送られる、
をさらに備える、Ｃ１に記載の方法。
［Ｃ１７］
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
をさらに備え、
ここにおいて、前記ＣＳＩが前記ＲＳＲＰまたは前記ＲＳＲＱのうちの前記少なくとも１つとともに送られる、
Ｃ１に記載の方法。
［Ｃ１８］
前記ＣＳＩが前記タイマーの満了時に送られる、Ｃ１に記載の方法。
［Ｃ１９］
ワイヤレス通信のための装置であって、前記装置がユーザ機器（ＵＥ）であり、
メモリと、
前記メモリに結合され、
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を行うように構成された少なくとも１つのプロセッサと
を備える、装置。
［Ｃ２０］
前記装置が、前記ＣＳＩを送ることを決定すると、メディアアクセス制御（ＭＡＣ）ヘッダ中で前記ＣＳＩを送る、Ｃ１９に記載の装置。
［Ｃ２１］
前記少なくとも１つのプロセッサが、
前記ＣＳＩを送るための要求を基地局に送ることと、
前記要求に基づく前記基地局からの応答を受信することと
を行うようにさらに構成され、
ここにおいて、前記ＣＳＩが、前記受信された応答に基づいて前記基地局に送られる、
Ｃ１９に記載の装置。
［Ｃ２２］
前記少なくとも１つのプロセッサが、基地局からアップリンク許可を受信するようにさらに構成され、前記アップリンク許可は、前記ＣＳＩが第２のしきい値よりも大きい時間期間の間に送られないときに受信され、ここにおいて、前記ＣＳＩが、前記受信されたアップリンク許可に基づいて送られる、Ｃ１９に記載の装置。
［Ｃ２３］
前記少なくとも１つのプロセッサが、
複数のサブフレームの各々中で前記ＣＳＩを推定することと、
前記複数のサブフレームにわたる最低のＣＳＩ、または前記複数のサブフレームにわたる前記推定されたＣＳＩの平均に基づいて前記ＣＳＩを決定することと
を行うようにさらに構成された、Ｃ１９に記載の装置。
［Ｃ２４］
前記少なくとも１つのプロセッサが、
前記ＣＳＩをどのように決定すべきかを示す構成を受信することと、
前記受信された構成に基づいて前記ＣＳＩを決定することと
を行うようにさらに構成された、Ｃ１９に記載の装置。
［Ｃ２５］
前記少なくとも１つのプロセッサが、
マルチキャストブロードキャスト単一周波数ネットワーク（ＭＢＳＦＮ）サブフレームを示す情報を受信することと、
前記受信された情報に基づいて前記ＣＳＩを決定することと
を行うようにさらに構成された、Ｃ１９に記載の装置。
［Ｃ２６］
前記少なくとも１つのプロセッサが、前記ＣＳＩに基づいてランダムアクセスチャネル（ＲＡＣＨ）プロシージャのためのＲＡＣＨフォーマットを選択するようにさらに構成され、ここにおいて、前記ＣＳＩが、前記ＲＡＣＨプロシージャを通して送られ、前記選択されたＲＡＣＨフォーマットを通して示される、Ｃ１９に記載の装置。
［Ｃ２７］
前記少なくとも１つのプロセッサが、
基地局から周期的な監視メッセージを受信することと、
前記受信された周期的な監視メッセージに基づいて前記基地局に応答を送ることと、ここにおいて、前記ＣＳＩが前記応答とともに送られる、
を行うようにさらに構成された、Ｃ１９に記載の装置。
［Ｃ２８］
前記少なくとも１つのプロセッサが、
基準信号受信品質（ＲＳＲＱ）または基準信号受信電力（ＲＳＲＰ）のうちの少なくとも１つを決定することと、
基地局に前記ＲＳＲＰまたは前記ＲＳＲＱのうちの前記少なくとも１つを送ることと
を行うようにさらに構成され、
ここにおいて、前記ＣＳＩが前記ＲＳＲＰまたは前記ＲＳＲＱのうちの前記少なくとも１つとともに送られる、
Ｃ１９に記載の装置。
［Ｃ２９］
ワイヤレス通信のための装置であって、前記装置がユーザ機器（ＵＥ）であり、
チャネル状態情報（ＣＳＩ）を決定するための手段と、
タイマーまたはしきい値のうちの少なくとも１つに基づいて、前記ＣＳＩを送るべきかどうかを決定するための手段と、
前記ＣＳＩを送ることを決定すると、前記ＣＳＩを送るための手段と
を備える、装置。
［Ｃ３０］
チャネル状態情報（ＣＳＩ）を決定することと、
タイマーまたはしきい値のうちの少なくとも１つに基づいて、前記ＣＳＩを送るべきかどうかを決定することと、
前記ＣＳＩを送ることを決定すると、前記ＣＳＩを送ることと
を行うためのコードを備えるコンピュータ可読媒体
を備える、ユーザ機器（ＵＥ）中のコンピュータプログラム製品。